(57)【要約】      （修正有）【課題】簡単な操作で排出対象のビーズを選択可能なビーズ供給具を提供する。【解決手段】ビーズ供給具１は、回転収容部３と回転ベース２とケース１０と駆動歯車７１とを備える。回転収容部３は、ビーズを収容する複数の収容室と、第１被係合部３６と、従動歯車３７とを有して、第１軸周りに形成される。回転ベース２は、第１被係合部３６と係合する第１係合部２４と、複数の第２被係合部２２２とを有し、複数の回転収容部３を配置して、第２軸Ａ２周りに形成される。ケース１０は、第２被係合部２２２に係合する第２係合部１１３を有して回転ベース２を配置する。従動歯車３７に歯合する駆動歯車７１が一方側へ回転すると、回転収容部３の回転を規制するとともに、回転ベース２の回転を許容する。駆動歯車７１が他方側へ回転すると、回転収容部３の回転を許容するとともに、回転ベース２の回転を規制する。【選択図】図２
2019076444.tif 000002
【特許請求の範囲】
【請求項１】
ビーズを収容する複数の収容室と、前記収容室に対応する数の第１被係合部と、従動歯車とを、第１軸周りに有する複数の回転収容部と、
前記第１被係合部と係合する第１係合部と、前記回転収容部に対応する数の第２被係合部とを、第２軸周りに有する回転ベースと、
前記第２被係合部に係合する第２係合部を有するケースと、
前記従動歯車に歯合する駆動歯車と、
予め定められた位置にある前記収容室のビーズを排出するビーズ排出部と、
を備え、
前記回転収容部は、前記回転ベースに環状に配置され、
前記回転ベースは、前記ケースに配置され、
前記駆動歯車が一方側へ回転すると、前記第１係合部と前記第１被係合部が係合して前記回転収容部の前記第１軸周りの回転を規制するとともに、前記第２係合部と前記第２被係合部が前記回転ベースの前記第２軸周りの回転を許容し、
前記駆動歯車が他方側へ回転すると、前記第１係合部と前記第１被係合部が前記回転収容部の前記第１軸周りの回転を許容するとともに、前記第２係合部と前記第２被係合部が係合して前記回転ベースの前記第２軸周りの回転を規制し、
前記回転ベースと前記回転収容部の回転操作により、前記位置に前記収容室を移動させる、
ことを特徴とするビーズ供給具。
【請求項２】
前記回転ベースは、前記第２軸周りにおいて、前記第１軸である軸部の第一端を支持する第１軸受と、前記第１軸受よりも外径側に前記軸部の第二端を支持する第２軸受と、を有することを特徴とする請求項１に記載のビーズ供給具。
【請求項３】
前記回転ベースは、前記第１軸受が形成された円筒壁と、前記第２軸受及び前記第２被係合部が形成された円筒状の外周側壁を有し、
前記回転収容部の前記収容室は、開口部から突出する突円弧状の端縁が前記外周側壁の内面と平行に形成された区切板を有する、
ことを特徴とする請求項２に記載のビーズ供給具。
【請求項４】
前記第１係合部は、断面が三角形の突起状の係合爪を有する片持ちの板バネ状に形成され、
前記第１被係合部は、テーパ状に形成され、
前記第２係合部は、基端側に傾斜面を及び先端側に垂直面を有する片持ちの板バネ状に形成され、
前記第２被係合部は、一方向側の縁部が前記外周側壁の外面から傾斜するように形成され、他方向側の縁部が前記外周側壁の外面から直角に形成される、
ことを特徴とする請求項３に記載のビーズ供給具。
【請求項５】
前記駆動歯車は、前記第２軸周りに回転する冠歯車であることを特徴とする請求項１乃至請求項４の何れかに記載のビーズ供給具。
【発明の詳細な説明】
【技術分野】
【０００１】
本発明は、ビーズ供給具に関する。
【背景技術】
【０００２】
従来から、ビーズを用いて柄模様等を作成して遊ぶビーズ玩具が知られている。このようなビーズ玩具は、複数のビーズを並べて遊ぶことから、ビーズを手軽に供給する道具として、特許文献１の球体供給具が提案されている。
【０００３】
特許文献１の球体供給具は、球体を排出する前方放出部と、球体を収納する複数の収納室を有する回転可動部と、回転可動部が回転可能に取り付けられ回転可動部の回転中心と同軸の固定歯車を有するベース部材と、収納室に収納されて固定歯車と噛合する可動歯車を有する収納室形成体と、を備える。この球体供給具は、各収納空間を小さくして子供にも手に持ちやすい大きさの球体供給具としつつ、多くの異なる種類の球体を区切り板により区分けして収納することができ、収納空間内の球体を収納室からの排出出口付近に詰まらせることを防止できるものとしている。
【先行技術文献】
【特許文献】
【０００４】
【特許文献１】特開２０１５−１３６４５７号公報
【発明の概要】
【発明が解決しようとする課題】
【０００５】
特許文献１の球体供給具では、排出対象のビーズの選択を、回転可動部を回転させて収納室を移動させ、さらに収納室の蓋板を回転させることにより収容室内で区切られたビーズを回転可動部の外側に移動させて行っている。そのため、ビーズを選択するためには球体供給具の複数の部位を操作する必要があり、操作性が煩雑な場合がある。
【０００６】
本発明は、以上の点に鑑み、簡単な操作で排出対象のビーズを選択可能なビーズ供給具を提供することを目的とする。
【課題を解決するための手段】
【０００７】
本発明の一つの態様に係るビーズ供給具は、ビーズを収容する複数の収容室と、前記収容室に対応する数の第１被係合部と、従動歯車とを、第１軸周りに有する複数の回転収容部と、前記第１被係合部と係合する第１係合部と、前記回転収容部に対応する数の第２被係合部とを、第２軸周りに有する回転ベースと、前記第２被係合部に係合する第２係合部を有するケースと、前記従動歯車に歯合する駆動歯車と、予め定められた位置にある前記収容室のビーズを排出するビーズ排出部と、を備え、前記回転収容部は、前記回転ベースに環状に配置され、前記回転ベースは、前記ケースに配置され、前記駆動歯車が一方側へ回転すると、前記第１係合部と前記第１被係合部が係合して前記回転収容部の前記第１軸周りの回転を規制するとともに、前記第２係合部と前記第２被係合部が前記回転ベースの前記第２軸周りの回転を許容し、前記駆動歯車が他方側へ回転すると、前記第１係合部と前記第１被係合部が前記回転収容部の前記第１軸周りの回転を許容するとともに、前記第２係合部と前記第２被係合部が係合して前記回転ベースの前記第２軸周りの回転を規制し、前記回転ベースと前記回転収容部の回転操作により、前記位置に前記収容室を移動させる。
【発明の効果】
【０００８】
上記態様によれば、簡単な操作で排出対象のビーズを選択可能なビーズ供給具を提供することができる。
【図面の簡単な説明】
【０００９】
【図１】本発明の実施形態に係るビーズ供給具を示す図であり、（ａ）は左上から見た斜視図であり、（ｂ）は右下から見た斜視図である。
【図２】本発明の実施形態に係るビーズ供給具の左上から見た分解斜視図である。
【図３】本発明の実施形態に係るビーズ供給具の右下から見た分解斜視図である。
【図４】本発明の実施形態に係る回転収容部を示す図であり、（ａ）は回転軸の第一端側から見た斜視図であり、（ｂ）は回転軸の第二端側から見た斜視図である。
【図５】本発明の実施形態に係る図１（ａ）に示すビーズ供給具のＶ−Ｖ断面図である。
【図６】本発明の実施形態に係る図１（ａ）に示すビーズ供給具のＶＩ−ＶＩ断面図である。
【図７】本発明の実施形態に係る図１（ａ）に示すビーズ供給具のＶＩＩ−ＶＩＩ断面図である。
【図８】本発明の実施形態に係る図１（ａ）に示すビーズ供給具のＶＩＩＩ−ＶＩＩＩ断面図であり、（ａ）は排出ガイドの待機状態を示し、（ｂ）は排出ガイドの動作状態を示す。
【発明を実施するための形態】
【００１０】
以下、図に基づいて本発明の実施形態を説明する。図１（ａ）はビーズ供給具１の左上から見た斜視図であり、図１（ｂ）はビーズ供給具１の右下から見た背面斜視図である。以下のビーズ供給具１の説明では、ビーズ供給具１の右ケース１１側を右、その反対側を左とし、排出口１０３側を前、その反対側を後とする。また、排出操作部６が設けられた側を上とし、その反対側を下とする。
【００１１】
ビーズ供給具１は、右ケース１１と左ケース１２により全体が略雫形状に形成される。ビーズ供給具１の後方側にはビーズ収容部１０１が形成され、前方側にはビーズ排出部１０２が形成される。ビーズ供給具１は、内部に球体や多面体形状のビーズを収容可能な複数の回転収容部３を備える。回転収容部３はさらに、複数（本実施形態では２個）の収容室３５を有する。使用者が回転収容部３と収容室３５を操作部材９の操作により移動させることで、使用者が選択した収容室３５に収容されたビーズを排出口１０３から排出させることができる。以下、各構成について、具体的に説明する。
【００１２】
図２は、ビーズ供給具１の左上から見た分解斜視図である。また、図３は、ビーズ供給具の右下から見た分解斜視図である。ビーズ供給具１は、右ケース１１及び左ケース１２の内部に、ビーズ収容部１０１及びビーズ排出部１０２を備える。ビーズ収容部１０１には、回転ベース２、複数の回転収容部３及び蓋体４が含まれる。また、ビーズ排出部１０２には、排出ガイド５及び排出操作部６が含まれる。
【００１３】
回転ベース２は、全体が円盤状に形成され、第２軸Ａ２を中心に円形の貫通孔２１を有する。貫通孔２１の周縁からは、左方に向かって円筒壁２１１が立設している。円筒壁２１１の先端縁には、略Ｕ字状の８個の切欠状の軸受２１２（第１軸受）が等間隔に設けられている。
【００１４】
回転ベース２の外周縁には、左方に向かって延設される円筒状の外周側壁２２が形成される。外周側壁２２には、図２のＡ部の拡大図に示すように、板状の搖動用突起２２１が立設している。搖動用突起２２１は、外周側壁２２の周方向に延設される。また、搖動用突起２２１は、回転ベース２の左方側から見て、時計回り方向側に傾斜部２２１ａを有し、反時計回り方向側に外周側壁２２の外面と略垂直な係止端２２１ｂを有する。
【００１５】
外周側壁２２は、搖動用突起２２１に対して底面２３側において、被係合部２２２（第２被係合部）を有する。被係合部２２２は、底面２３から外周側壁２２の端部２２ａ方向を長手方向とする長矩形状の貫通孔として形成される。被係合部２２２の底面２３側の縁部は、貫通孔２１側に向かってやや切り欠かれるように形成される。被係合部２２２の反時計回り方向側の縁部２２２ａは、外周側壁２２の外面からテーパ状に傾斜している。一方、被係合部２２２の時計回り方向側の縁部２２２ｂは、外周側壁２２の外面から略直角に貫通孔（被係合部２２２）の内面と接続するように形成される。
【００１６】
また、外周側壁２２は、搖動用突起２２１に対して端部２２ａ側において、軸受２２３（第２軸受）を有する。軸受２２３は、端部２２ａ側にＵ字状の円弧縁部を有する貫通孔として形成される。また、軸受２２３は、搖動用突起２２１から端部２２ａまで延設される溝部２２４内に設けられる。
【００１７】
外周側壁２２は、搖動用突起２２１の係止端２２１ｂと、端部２２ａとの間に略矩形状の切欠部２２５を有する。切欠部２２５の貫通孔２１側における３辺の縁部は、図示はしないがそれぞれテーパ状に傾斜するように形成される。
【００１８】
回転ベース２の底面２３には、係合部２４（第１係合部）が形成される。係合部２４は、底面２３に固定される本体部２４１と、本体部２４１から延設される腕部２４２とを有する。本体部２４１は、底面２３に対して螺子止め等によって固定される。
【００１９】
腕部２４２は、本体部２４１から回転ベース２の内側方向へ延設された後、Ｌ字状に底面２３から立設するように、片持ちの板バネ状に形成される。腕部２４２の先端には、回転ベース２の左方から見た反時計回り方向に突出する係合爪２４２ａが形成される。また、底面２３には、腕部２４２の立設する基端側の部分において、押え部材２３１が形成される。押え部材２３１により、腕部２４２の基端部分がずれることを防止できる。
【００２０】
また、回転ベース２の底面２３は、図２に示す左側から見て山形に突出するように形成され、図３に示す右側から見てすり鉢状に窪むように形成される。
【００２１】
回転収容部３について説明する。図４（ａ）は回転収容部３を回転軸３３の第一端３３ａ側から見た斜視図であり、図４（ｂ）は回転収容部３を回転軸３３の第二端３３ｂ側から見た斜視図である。回転収容部３は、全体が略円錐台状に形成される。回転収容部３は、略円形の底部３１と、その底部３１から内径が徐々に拡大するように形成された外周部３２とを有する。そのため、回転収容部３は、底部３１よりも開口部３ａの方が大きな直径で形成される。
【００２２】
回転収容部３は、底部３１を貫通するように形成された第１軸Ａ１となる円柱状の回転軸３３を有する。回転軸３３の第一端３３ａは、回転収容部３の開口部３ａの開口面よりも突出するように形成される。
【００２３】
回転収容部３は、回転軸３３を含む平板状の区切板３４を有する。区切板３４の端縁３４ａは、突円弧状に開口部３ａの開口面よりも突出している。区切板３４の端縁３４ａは、回転ベース２に収容された際に外周側壁２２の内面と略平行となる。回転収容部３の内部は、区切板３４により２個の収容室３５に分割される。底部３１には、２個のリブ３１１が略平行に形成される。リブ３１１は、区切板３４と略垂直に交差するように配置される。
【００２４】
回転収容部３の外周部３２には、収容室３５毎に対応して被係合部３６が形成される。被係合部３６（第１被係合部）は、開口部３ａ側に底辺を向けた略二等辺三角形状の貫通孔として形成される。また、被係合部３６の内壁３６ａは、テーパ状に形成されており、外周部３２の内面側よりも外面側の方が大きく開口している。
【００２５】
図４（ｂ）に示すように、回転収容部３は、開口部３ａとは反対側の回転軸３３の第二端３３ｂ側に、底部３１よりも小径の従動歯車３７を有する。従動歯車３７は平歯車である。このように、回転収容部３は、第１軸Ａ１周りに、複数の収容室３５と、各収容室３５に対応する被係合部３６と、従動歯車３７とを有している。
【００２６】
図２で、回転収容部３は、搖動用突起２２１、被係合部２２２、軸受２２３及び切欠部２２５に対応した数とされて、環状に配置される。各回転収容部３は、従動歯車３７を中心側に向けて配置される。そして、環状に配置された回転収容部３は、回転ベース２に配置される。回転軸３３の第一端３３ａは、軸受２２３に挿入される。回転軸３３の第二端３３ｂは、軸受２１２に載置される。
【００２７】
図２で、右ケース１１内のビーズ収容部１０１側には、回転ベース２が載置される円形の載置面１１１が設けられる。載置面１１１の略中央には、円形の貫通孔１１１ａが形成されている。貫通孔１１１ａの周縁からは左ケース１２側へ円筒軸１１２が立設する。
【００２８】
図３に示すように、貫通孔１１１ａの周囲には、円形枠状の内枠１１１ｂと外枠１１１ｃが右ケース１１の外方へ立設する。内枠１１１ｂは、外枠１１１ｃと貫通孔１１１ａとの間に配置される。また、内枠１１１ｂは、外枠１１１ｃよりも低く形成される（図５も参照）。
【００２９】
図２に戻り、載置面１１１のビーズ排出部１０２側の間の位置には、片持ちの板バネ状の係合部１１３（第２係合部）が配置される。係合部１１３は、基部板１１３ａにより右ケース１１と左ケース１２とに固定される。基部板１１３ａから載置面１１１側へ延設される腕部１１３ｂの先端には、貫通孔１１１ａ側に突出した係合爪１１３ｃが形成される。係合爪１１３ｃの腕部１１３ｂ側である基端側には、側面視突円弧状の傾斜面１１３ｄが形成される。また、係合爪１１３ｃの先端側には、腕部１１３ｂの板面に対し略垂直な垂直面１１３ｅが形成される。
【００３０】
右ケース１１及び左ケース１２の後端部には、蓋体４が配置される。蓋体４は、切欠部１２３ａにより形成されるビーズを回転収容部３に供給するための供給口を、開閉させる機能を有する。蓋体４は、略板状に形成され、回動軸４１を有する。また、蓋体４は、ケース１０の内方側に形成される回転収容部３からビーズが逆流することを防止するための押え板４２有する。また、蓋体４は、ケース１０の外方側に突出した蓋体４を開閉させるための板状の摘み４３を有する。蓋体４は、摘み４３の操作により回動軸４１を中心に回動することができる。
【００３１】
ビーズ排出部１０２には、排出ガイド５が配置される。排出ガイド５には、前後方向に延設されて左側に溝状に開口するビーズの排出通路５１が形成される。排出ガイド５の略中央には、回動軸５２が形成される。排出ガイド５は、回動軸５２の右側に設けられた円形溝５２５（図３参照）に、右ケース１１に設けられた円柱状の突起１１６（図２参照）が係合することにより、回動軸５２を中心に回動することができる。また、回動軸５２の側壁５２１，５２２は、左ケース１２から略円筒状に立設する軸受５３４内に挿入される。回動軸５２の後方側の排出通路５１ａは、前方が右ケース側へ、後方が左ケース１２側へ傾斜している。また、回動軸５２の前方側の排出通路５１ｂは、前後方向に直線状に形成される。
【００３２】
排出ガイド５は、図３に示す後端側の裏面に、係止板５１２を有する。係止板５１２は、使用者が排出操作部６を押下して排出ガイド５が回動する際に、搖動用突起２２１と当接する。これにより、係止板５１２は、回転ベース２に対して回転方向にやや振動を与えて、回転収容部３に収容されたビーズが排出される際に詰まることを防止することができる。
【００３３】
右ケース１１の係合部１１３の前方側には、複数のリブにより溝状に形成された弾性体収容溝１１４が形成される。この弾性体収容溝１１４と、排出ガイド５の後方の外面に突出する突起５ａとの間に、コイルばねＳ１を配置させることにより、排出ガイド５の後端５２ａが下方へ、排出ガイド５の前端５２ｂが上方へ付勢される。
【００３４】
ビーズ排出部１０２には、排出ガイド５の前端の上方位置に、排出操作部６が配置される。排出操作部６は、略板状に形成され、図１（ａ）に示すケース１０の上方に設けられる出没孔１０４から上下に出没可能に形成される。排出操作部６の左右には、リブ６１が形成される。リブ６１の上端が出没孔１０４内の規制突起と当接することにより、排出操作部６の上方への移動が規制される。また、排出操作部６の下端６２は、排出ガイド５の前端５２ｂと当接する。排出操作部６は、排出ガイド５の前端５２ｂにより上方へ付勢される。
【００３５】
図３で、左ケース１２内のビーズ収容部１０１側において、環状に配置された回転収容部３全体の外径よりやや大きな円形の開口部１２１が設けられる。開口部１２１には、図１で示す透明なカバー部材１２２を配置させることができる。開口部１２１の内壁１２１ａには、ビーズ排出部１０２側に、略矩形の切欠部１２１ｂが形成される。切欠部１２１ｂのビーズ排出部１０２側の縁部は、テーパ状に形成される（図８（ａ）及び図８（ｂ）も参照）。また、内壁１２１ａには、左ケース１２の後方側において、略矩形の切欠部１２１ｃが形成される。
【００３６】
左ケース１２の外周を覆う側板１２３の後端には、矩形状の切欠部１２３ａが形成される。切欠部１２３ａは、切欠部１２１ｃと共に、回転収容部３へのビーズの供給口として用いられる。
【００３７】
左ケース１２内のビーズ排出部１０２側において、天リブ５３、弾性体収容リブ５４及び分離リブ５５が設けられる。天リブ５３、弾性体収容リブ５４及び分離リブ５５の詳細については、図８（ａ）及び図８（ｂ）の説明で後述する。
【００３８】
左ケース１２の前端に設けられる切欠き１０３ａは、右ケース１１の切欠１０３ｂと重ね合わせられて排出口１０３を形成する（図１（ｂ）参照）。また、左ケース１２の前端の上方に設けられる切欠き１０４ａは、右ケース１１の切欠き１０４ｂと重ね合わせられて出没孔１０４を形成する（図１（ａ）参照）。
【００３９】
図３において、冠歯車７は、駆動歯車７１と軸部７２とを有する。駆動歯車７１は、環状に回転ベース２に配置された各回転収容部３の従動歯車３７と歯合する。軸部７２は、駆動歯車７１よりも右方に突出するように円柱状に設けられる。軸部７２は、先端に係合端７２ａを有する。係合端７２ａは、軸部７２の外径と略同じ外接円の六角形形状の角柱状に形成される。また、軸部７２には、係合端７２ａの先端面から、螺子孔７２ａ１が形成される。
【００４０】
筒部材８は、円筒状に形成され、軸部７２が挿通可能な内径の貫通孔８ａを有する。また、筒部材８は、片端側にフランジ部８１を有する。
【００４１】
操作部材９は、冠歯車７を回転操作するために用いられる。操作部材９は、略円盤状に形成されて、操作摘み９１を有する。操作摘み９１の略中央には、略六角形状の底部を有する孔部９１１が形成される。孔部９１１の底部には、孔部９１１の内接円よりやや小さい径の円形の貫通孔９１１ａが設けられる。
【００４２】
図２に示すように、操作部材９は、操作摘み９１のある面の反対面側に、貫通孔９１１ａを形成する円環状の内枠９１２を有する。また、操作部材９は、内枠９１２の外周に中枠９１３を、中枠９１３の外周に外枠９１４を有する。また、外枠９１４は、操作部材９の外縁に形成される。
【００４３】
固定部材９２は、略六角柱状に形成される。固定部材９２は、円形の溝部９２１と、溝部９２１の反対側に六角形状の溝部９２２とを有する。各溝部９２１，９２２の底部には、共通する螺子用の貫通孔９２１ａにより貫通される。固定部材９２は、溝部９２２側から操作部材９の孔部９１１に挿入される。
【００４４】
次に、ビーズ供給具１の各部材を組み合わせた状態について説明する。図５は、図１（ａ）に示すビーズ供給具１のＶ−Ｖ断面図である。図６は、図１（ａ）に示すビーズ供給具１の係合部１１３を説明するＶＩ−ＶＩ断面図である。また、図７は、図１に示すビーズ供給具１のＶＩＩ−ＶＩＩ断面図である。
【００４５】
右ケース１１の載置面１１１には、回転ベース２が載置される。右ケース１１の円筒軸１１２は、回転ベース２の貫通孔２１に挿通される。回転ベース２の外周縁２３２は、右ケース１１の載置面１１１の外縁側に形成された円環状の周突起１１１ｄと当接する。
【００４６】
円筒軸１１２の内部には、筒部材８が右ケース１１側から挿入される。冠歯車７は、左ケース１２側から軸部７２が筒部材８の貫通孔８ａ内に挿入されて、回転ベース２及び右ケース１１と同軸に配置される。軸部７２の係合端７２ａは、貫通孔８ａから突出する。
【００４７】
各回転収容部３は、冠歯車７によって、回転ベース２に対し回転可能に配置される。冠歯車７の駆動歯車７１は、各回転収容部３の従動歯車３７と歯合する。また、冠歯車７は、軸部７２側に立設する環状の枠部７３を有する。枠部７３の先端７３ａは略同一平面上に形成される。枠部７３の先端７３ａは、回転軸３３の第二端３３ｂ側を軸受２１２の開口側から抑える。そのため、回転軸３３の第一端３３ａ及び第二端３３ｂが軸受２２３，２１２から抜けることを防止できる。
【００４８】
右ケース１１の外方からは操作部材９が取り付けられる。操作部材９の外枠９１４は、右ケース１１の貫通孔１１１ａの周囲に設けられた外枠１１１ｃ内に配置される。操作部材９の中枠９１３は、右ケース１１の貫通孔１１１ａの周囲に設けられた内枠１１１ｂ内に配置される。
【００４９】
操作部材９の孔部９１１内には、固定部材９２が配置される。固定部材９２の溝部９２２内には、右ケース１１側に貫通された係合端７２ａが係合する。そして、固定部材９２は、溝部９２１内に頭部を配置した螺子が貫通孔９２１ａを介して螺子孔７２ａ１に螺入されることにより、冠歯車７と固定される。このとき、係合端７２ａ及び溝部９２２は、六角形状に形成されるため、冠歯車７と固定部材９２の回転方向の相対的な回転動作が規制される。
【００５０】
また、操作部材９の貫通孔９１１ａの内径は、固定部材９２の外形よりも小さく形成される。したがって、操作部材９を右ケース１１に取り付けた状態で、貫通孔９１１ａを貫通した軸部７２を固定部材９２で固定すると、操作部材９の脱落が防止される。また、操作部材９の孔部９１１と固定部材９２は、六角形状に形成されるため、冠歯車７と操作部材９の回転方向の相対的な回転動作が規制される。
【００５１】
したがって、使用者が操作部材９を時計回り方向又は反時計回り方向に回転操作すると、冠歯車７には同方向の回転力が伝達される。
【００５２】
図５で、軸部７２の外側面と、貫通孔９１１ａの内壁との間には、コイルばねＳ２が配置される。コイルばねＳ２の両端は、フランジ部８１と固定部材９２に当接する。コイルばねＳ２は、圧縮されて配置されるため、フランジ部８１と固定部材９２とを離間する方向に加圧している。これにより、冠歯車７の駆動歯車７１及び枠部７３は、従動歯車３７及び円筒壁２１１側へ付勢される。冠歯車７の移動は、枠部７３と円筒壁２１１とが当接することにより規制される。
【００５３】
また、内枠９１２と中枠９１３との間には、コイルばねＳ３が配置される。コイルばねＳ３の一端は、貫通孔１１１ａと内枠１１１ｂとの間に形成される溝部１１１ｅに当接する。コイルばねＳ３の他端は、内枠９１２の外周に設けられた段部９１２ａの膨出部分（図５では不図示）に当接する。コイルばねＳ３は、圧縮されて配置されるため、右ケース１１と操作部材９とを離間する方向に加圧している。これにより、操作部材９は、右ケース１１の外方側へ付勢される。操作部材９の移動は、貫通孔９１１ａの内面に設けられた段部が固定部材９２に当接することにより規制される。
【００５４】
コイルばねＳ２及びコイルばねＳ３を配置することにより、操作部材９、固定部材９２及び冠歯車７は、回転収容部３の歯合位置調整機構を構成することができる。回転収容部３の従動歯車３７と、冠歯車７の駆動歯車７１との歯合位置を調整する方法について説明する。
【００５５】
図１（ｂ）で、固定部材９２は、操作摘み９１に対してやや窪んで配置される。使用者が操作摘み９１をケース１０側に押下すると、図６に示す操作摘み９１はコイルばねＳ３の弾発力に抗してケース１０側へ移動し、固定部材９２が突出する状態になる。その後、固定部材９２を操作摘み９１とともにケース１０側へ押下すると、固定部材９２もコイルばねＳ３の弾発力に抗してケース１０側へ移動する。固定部材９２がケース１０側へ移動すると、固定部材９２と軸部７２を介して連結している冠歯車７は、左ケース１２側から離間するように移動する。よって、駆動歯車７１と従動歯車３７との歯合が解除される。歯合が解除されている間、使用者は回転収容部３を手動等により回転させることができる。その後、操作摘み９１及び固定部材９２への負荷を解除すると、冠歯車７は左ケース１２側へ移動し、駆動歯車７１と従動歯車３７とが歯合する。これにより、回転収容部３がギアなめ等を起こして位置ずれしても、回転収容部３を正常な回転位置に戻すことができる。
【００５６】
図６において、回転ベース２の外周側壁２２には、外方から回転ベース２側へ向かって係合部１１３が当接する。係合部１１３の係合爪１１３ｃは、回転ベース２の被係合部２２２に係合している。
【００５７】
被係合部２２２は回転ベース２の外周側壁２２に対して傾斜する縁部２２２ａを有し、係合爪１１３ｃも回転ベース２の外周側壁２２に対して傾斜する傾斜面１１３ｄを有している。そのため、図６の回転ベース２が時計回りに回転すると、縁部２２２ａが傾斜面１１３ｄを係合部１１３の弾発力に抗して回転ベース２の外径方向へ押し、時計回り方向の回転が許容される。
【００５８】
一方、被係合部２２２は外周側壁２２の外面から略垂直に接続される内面（縁部２２２ｂ）を有し、係合爪１１３ｃも垂直面１１３ｅを有している。そのため、回転ベース２が反時計回り方向に回転しようとしても、被係合部２２２の内面と垂直面１１３ｅとの面当接により、図６の回転ベース２の反時計回り方向の回転が規制される。
【００５９】
また、図７において、係合部２４は、回転収容部３側に対し、外方から当接する。係合爪２４２ａは、回転収容部３の被係合部３６に係合している。
【００６０】
被係合部３６は回転収容部３の外側面に対してＶ字溝状の内壁３６ａを有する。また、係合部２４も回転収容部３の外面に向かって突出する係合爪２４２ａを有する。係合爪２４２ａは、図７の断面図において、略三角形の突起状に形成される。係合爪２４２ａが内壁３６ａに係合しているとき、係合爪２４２ａの二つの面が内壁３６ａと接する。係合爪２４２ａの第一の面は、内壁３６ａの反時計回り方向側の面３６ａ１と斜めに接しており、被係合部３６の外縁と略線接触により当接する。そのため、回転収容部３が第一端３３ａ側から見て時計回り方向に回転すると、反時計回り方向側の面３６ａ１は、係合爪２４２ａを腕部２４２の弾発力に抗して回転収容部３の外形方向に押し出す。そして、回転収容部３は、時計回り方向の回転が許容される。
【００６１】
一方、係合爪２４２ａの第二の面は、内壁３６ａの時計回り方向側の面３６ａ２と略平行に当接するため、略面接触している。そのため、回転収容部３が第一端３３ａ側から見て反時計回り方向に回転しようとすると、回転収容部３は係合爪２４２ａにより反時計回り方向の回転動作が規制される。このように、係合部２４が被係合部３６に係合しているとき、回転収容部３は回転軸３３の第一端３３ａ側から見て、時計回りに回転することができ、反時計回りは回転が規制される。
【００６２】
図８（ａ）は、図１（ａ）に示すビーズ供給具１のＶＩＩＩ−ＶＩＩＩ断面図である。排出ガイド５のうち回転ベース２側の一部は、左ケース１２（図３参照）の内面から右ケース１１側（図８（ａ）の奥側）へ立設する天リブ５３（５３１〜５３４）により封止されて、閉じた排出通路を形成する。
【００６３】
排出通路５１ａの後方側には、傾斜リブ５３１，５３２によって閉じた排出通路が形成される。排出通路５１ａは、回転ベース２側から排出口１０３側へ向かうに従い左ケース１２側から右ケース１１側へ傾斜している。また、傾斜リブ５３１，５３２も、回転ベース２側から排出口１０３側へ向かうに従い、左ケース１２側から右ケース１１側へ傾斜している。
【００６４】
回動軸５２は、円弧状の対向する側壁５２１，５２２を有する。側壁５２１，５２２は、排出通路５１ａ，５１ｂの側壁よりも高く立設するように形成される（図２も参照）。側壁５２２からは、側壁５２１の方向に２個のリブ５２２ａ，５２２ｂが延設される。回動軸５２は、側壁５２１、リブ５２２ａ，５２２ｂの先端、及び回動規制リブ５３３によって、閉じた排出通路を形成する。
【００６５】
左ケース１２は、弾性体収容溝１１４の位置において、右ケース１１側へ立設する直線状の弾性体収容リブ５４を有する。弾性体収容リブ５４は、左ケース１２の枠リブ１１５と右ケース１１の内壁１１ａとにより、排出ガイド５側を開口させた弾性体収容溝１１４を形成することができる。よって、弾性体収容溝１１４内に配置させたコイルばねＳ１を安定して配置させることができる。
【００６６】
弾性体収容リブ５４からは、回転ベース２側にビーズの分離リブ５５が延設される。分離リブ５５は、弾性体収容リブ５４の側面からＬ字状に形成される。分離リブ５５の先端５５ａは、排出ガイド５側へ配置されている。先端５５ａは、排出通路５１ａの側壁の一部に形成された略矩形状の切欠部５１ａ１内に挿入される。
【００６７】
次に、ビーズ供給具１の動作について説明する。本実施形態で説明するビーズ供給具１には、８個の回転収容部３が含まれ、各回転収容部３は２個の収容室３５を有する。したがって、ビーズ供給具１は、合計１６か所の収容室３５有する。各収容室３５には、異なる色や形状のビーズを収容させてもよいし、一部の収容室３５に同種のビーズを収容させてもよい。回転収容部３、右ケース１１の載置面１１１及び回転ベース２は、透光性のある材料で形成することができる。したがって、ビーズ供給具１の外部から各回転収容部３にどのようなビーズが収容されているか視認可能な構成とすることができる。
【００６８】
図１（ａ）で、使用者は、左ケース１２に形成されるマーカ１２６位置にある収容室３５に収容されているビーズを排出させることができる。使用者は、排出したいビーズが収容されている回転収容部３及び収容室３５が、マーカ１２６の位置に無い場合は、図１（ｂ）に示す操作部材９を回転操作して、対象の収容室３５を移動させることができる。
【００６９】
図１（ｂ）において、操作摘み９１により操作部材９を反時計回りに回転させると、図１（ａ）に示す冠歯車７は、操作部材９と連動して冠歯車７側から見た時計回り方向に回転力を得る。すると、各回転収容部３の従動歯車３７が冠歯車７の駆動歯車７１と歯合しているため、回転収容部３は回転軸３３の第一端３３ａ（図２も参照）側から見て反時計回りに回転力を得る。しかし、回転収容部３は、図７に示すように、係合部２４と被係合部３６との係合により、図４に示した第１軸Ａ１を中心とする反時計回り方向の回転が規制される（段落［００５７］も参照）。そのため、従動歯車３７に伝達された力は、冠歯車７側から見た回転ベース２の時計回り方向の回転力となる。
【００７０】
図６において、回転ベース２は、係合部１１３と被係合部２２２との係合により、時計回り方向の回転が許容されている（段落［００５３］も参照）。したがって、冠歯車７から伝達された回転力により、回転ベース２は第２軸Ａ２を中心とする時計回り方向に回転する。このように、使用者は、操作部材９を一方側へ（反時計回りに）回転させると、任意の回転収容部３を図１（ａ）に示すマーカ１２６の位置に移動させることができる。
【００７１】
また、図１（ｂ）において、操作摘み９１により操作部材９を時計回りに回転させると、図１（ａ）に示す冠歯車７は、操作部材９と連動して冠歯車７側から見た反時計回り方向に回転力を得る。すると、回転収容部３は回転軸３３の第一端３３ａ（図２も参照）側から見て時計回りに回転力を得る。回転収容部３は、図７に示すように、係合部２４と被係合部３６との係合により、図３に示した第１軸Ａ１を中心とする時計回り方向の回転が許容される（段落［００５６］も参照）。
【００７２】
一方、図６において、回転ベース２は、係合部１１３と被係合部２２２との係合により、反時計回り方向の回転が規制される（段落［００５４］も参照）。したがって、冠歯車７から伝達された回転力により、回転収容部３は、第１軸Ａ１を中心とする時計回り方向に回転する。このように、使用者は、操作部材９を他方側へ（時計回りに）回転させると、回転収容部３の任意の収容室３５を左ケース１２側に移動させることができる。
【００７３】
以上のように、使用者は、操作部材９を時計回り及び反時計回りの回転操作を組み合せることにより、任意の回転収容部３の収容室３５をマーカ１２６の位置に移動させることができる。
【００７４】
図８（ａ）に示すように、使用者が排出操作部６を操作しない状態では、排出対象のビーズが収容された収容室３５は、切欠部１２１ｂの内側に開口部３ａを向けて配置される。切欠部１２１ｂと切欠部２２５は、略重なるように配置される。しかし、排出ガイド５の排出通路５１ａの切欠部５１ａ１が形成された側壁５１ａ２の後端が、切欠部１２１ｂの略中央に位置するため、収容室３５に収容されたビーズは、排出ガイド５側への排出が防止される。
【００７５】
図８（ｂ）に示すように、使用者が排出操作部６を押下操作すると、排出ガイド５の前端５２ｂが排出操作部６の下端６２によって付勢され、排出ガイド５は回動軸５２を中心に回動する。すると、排出通路５１ａの開口部５１１は、切欠部１２１ｂの位置に移動する。したがって、ビーズ供給具１の排出口１０３を下にした状態で、使用者が排出操作部６を押下操作すると、ビーズは収容室３５から切欠部２２５，１２１ｂを通過して開口部５１１に排出される。
【００７６】
排出されたビーズは、開口部５１１において、分離リブ５５により移動が制限される。収容室３５に残る他のビーズは、既に排出された開口部５１１に位置するビーズにより、開口部５１１方向への移動が制限される。よって、分離リブ５５により、排出ガイド５に排出されるビーズは１個に制限される。
【００７７】
使用者が排出操作部６の押下操作を停止すると、排出ガイド５は、コイルばねＳ１の弾発力により、前端５２ｂが排出操作部６を押し上げるように、回動軸５２を中心に回動し、排出操作部６の操作をしない状態に戻る。これにより、開口部５１１に位置するビーズは、図８（ａ）に示すように、分離リブ５５により排出通路５１の塞がれた状態が解除されることで、排出通路５１を通過し、ビーズ供給具１の前端に形成された排出口１０３から排出される。
【００７８】
また、開口部５１１への移動が制限されていた他のビーズは、側壁５１ａ２の後端が、切欠部１２１ｂの略中央に位置する状態に戻るため、排出ガイド５側へ排出されない。したがって、ビーズ供給具１の排出口１０３を下にした状態で、使用者が排出操作部６を押下操作し、排出操作部６を離す操作をすると、予め定められたマーカ１２６近傍の左ケース１２側の位置に配置された収容室３５内のビーズを、排出口１０３から一つ排出させることができる。
【００７９】
以上のような本発明の実施形態によれば、下記の態様のビーズ供給具を提供することができる。
【００８０】
第１の態様に係るビーズ供給具は、ビーズを収容する複数の収容室と、前記収容室に対応する数の第１被係合部と、従動歯車とを、第１軸周りに有する複数の回転収容部と、前記第１被係合部と係合する第１係合部と、前記回転収容部に対応する数の第２被係合部とを、第２軸周りに有する回転ベースと、前記第２被係合部に係合する第２係合部を有するケースと、前記従動歯車に歯合する駆動歯車と、予め定められた位置にある前記収容室のビーズを排出するビーズ排出部と、を備え、前記回転収容部は、前記回転ベースに環状に配置され、前記回転ベースは、前記ケースに配置され、前記駆動歯車が一方側へ回転すると、前記第１係合部と前記第１被係合部が係合して前記回転収容部の前記第１軸周りの回転を規制するとともに、前記第２係合部と前記第２被係合部が前記回転ベースの前記第２軸周りの回転を許容し、前記駆動歯車が他方側へ回転すると、前記第１係合部と前記第１被係合部が前記回転収容部の前記第１軸周りの回転を許容するとともに、前記第２係合部と前記第２被係合部が係合して前記回転ベースの前記第２軸周りの回転を規制し、前記回転ベースと前記回転収容部の回転操作により、前記位置に前記収容室を移動させる。
【００８１】
この構成によれば、複数の収容室３５を有した回転収容部３を複数備えた場合であっても、一つの操作部材９により任意の収容室３５を、ビーズの排出可能な位置まで移動させることができる。よって、収容種類が多くても排出対象のビーズを容易に選択可能なビーズ供給具を提供することができる。
【００８２】
第２の態様に係るビーズ供給具は、前記回転ベースは、前記第２軸周りにおいて、前記第１軸である軸部の第一端を支持する第１軸受と、前記第１軸受よりも外径側に前記軸部の第二端を支持する第２軸受と、を有する。
【００８３】
この構成によれば、回転収容部３は、ビーズ供給具１内において、放射状に配置させて、公転軸である第１軸と異なる方向の第２軸を中心に、自転することができる。
【００８４】
第３の態様に係るビーズ供給具は、前記回転ベースは、前記第１軸受が形成された円筒壁と、前記第２軸受及び前記第２被係合部が形成された円筒状の外周側壁を有し、前記回転収容部の前記収容室は、開口部から突出する突円弧状の端縁が前記外周側壁の内面と平行に形成された区切板を有する。
【００８５】
この構成によれば、第２軸Ａ２を中心に回転する回転ベース２の外側部分を係合させることにより、回転の規制を行うため、回転ベース２の回転を規制するために第２係合部に係る負担を軽減することができる。また、突円弧状の端縁３４ａにより回転収容部３の公転及び自転時に、ビーズを溢すことなく移動させることができる。
【００８６】
第４の態様に係るビーズ供給具は、前記第１係合部は、断面が三角形の突起状の係合爪を有する片持ちの板バネ状に形成され、前記第１被係合部は、テーパ状に形成され、前記第２係合部は、基端側に傾斜面を及び先端側に垂直面を有する片持ちの板バネ状に形成され、前記第２被係合部は、一方向側の縁部が前記外周側壁の外面から傾斜するように形成され、他方向側の縁部が前記外周側壁の外面から直角に形成される。
【００８７】
この構成によれば、回転収容部３の第１軸Ａ１を中心とする公転及び第２軸Ａ２を中心とする自転の、規制及び許容を簡易な構成で容易に行うことができる。
【００８８】
第５の態様に係るビーズ供給具は、前記駆動歯車は、前記第２軸周りに回転する冠歯車である。
【００８９】
この構成によれば、冠歯車７による一つの駆動源により、収容室３５の移動を容易に行うことができる。
【００９０】
以上、本発明の実施形態について説明したが、本発明は上記実施形態に限定されるものではなく、その要旨を逸脱しない限りにおいて、種々の変更が可能である。
【００９１】
例えば、本実施形態では、回転収容部３が２個の収容室３５を有する例について説明したが、一部の回転収容部３について１個の収容室３５を有する構成としたり、一部又は全部の回転収容部３について３個以上の収容室３５を有する構成としてもよい。
【００９２】
また、第１軸Ａ１と第２軸Ａ２の方向を略平行に配置させて、回転収容部３を環状に配置させる構成としてもよい。この場合、冠歯車７の代わりに、平歯車を環状に配置させた回転収容部３の中心に配置させてもよい。
【符号の説明】
【００９３】
１        ビーズ供給具                      ２        回転ベース
３        回転収容部                        ３ａ      開口部
４        蓋体                              ５        排出ガイド
５ａ      突起                              ６        排出操作部
７        冠歯車                            ８        筒部材
８ａ      貫通孔                            ９        操作部材
１０      ケース                            １１      右ケース
１１ａ    内壁                              １２      左ケース
２１      貫通孔                            ２２      外周側壁
２２ａ    端部                              ２３      底面
２４      係合部                            ３１      底部
３２      外周部                            ３３      回転軸
３３ａ    第一端                            ３３ｂ    第二端
３４      区切板                            ３４ａ    端縁
３５      収容室                            ３６      被係合部
３６ａ    内壁                              ３６ａ１  面
３６ａ２  面                                ３７      従動歯車
４１      回動軸                            ４２      押え板
４３      摘み                              ５１      排出通路
５１ａ    排出通路                          ５１ａ１  切欠部
５１ａ２  側壁                              ５１ｂ    排出通路
５２      回動軸                            ５２ａ    後端
５２ｂ    前端                              ５３      天リブ
５４      弾性体収容リブ                    ５５      分離リブ
５５ａ    先端                              ６１      リブ
６２      下端                              ７１      駆動歯車
７２      軸部                              ７２ａ    係合端
７２ａ１  螺子孔                            ７３      枠部
７３ａ    先端                              ８１      フランジ部
９１      操作摘み                          ９２      固定部材
１０１    ビーズ収容部                      １０２    ビーズ排出部
１０３    排出口                            １０３ａ  切欠き
１０３ｂ  切欠                              １０４    出没孔
１０４ａ  切欠き                            １０４ｂ  切欠き
１１１    載置面                            １１１ａ  貫通孔
１１１ｂ  内枠                              １１１ｃ  外枠
１１１ｄ  周突起                            １１１ｅ  溝部
１１２    円筒軸                            １１３    係合部
１１３ａ  基部板                            １１３ｂ  腕部
１１３ｃ  係合爪                            １１３ｄ  傾斜面
１１３ｅ  垂直面                            １１４    弾性体収容溝
１１５    枠リブ                            １１６    突起
１２１    開口部
１２１ａ  内壁                              １２１ｂ  切欠部
１２１ｃ  切欠部                            １２２    カバー部材
１２３    側板                              １２３ａ  切欠部
１２６    マーカ                            ２１１    円筒壁
２１２    軸受                              ２２１    搖動用突起
２２１ａ  傾斜部                            ２２１ｂ  係止端
２２２    被係合部                          ２２２ａ  縁部
２２２ｂ  縁部                              ２２３    軸受
２２４    溝部                              ２２５    切欠部
２３１    押え部材                          ２３２    外周縁
２４１    本体部                            ２４２    腕部
２４２ａ  係合爪                            ３１１    リブ
５１１    開口部                            ５２１    側壁
５２２    側壁                              ５２２ａ  リブ
５２２ｂ  リブ                              ５２５    円形溝
５３１    傾斜リブ                          ５３３    回動規制リブ
５３４    軸受                              ９１１    孔部
９１１ａ  貫通孔                            ９１２    内枠
９１３    中枠                              ９１４    外枠
９２１    溝部                              ９２１ａ  貫通孔
９２２    溝部                              Ａ１      第１軸
Ａ２      第２軸                            Ｓ１〜Ｓ３  コイルばね
【図１】
2019076444.tif 000003
【図２】
2019076444.tif 000004
【図３】
2019076444.tif 000005
【図４】
2019076444.tif 000006
【図５】
2019076444.tif 000007
【図６】
2019076444.tif 000008
【図７】
2019076444.tif 000009
【図８】
2019076444.tif 000010